(57)【要約】【課題】記録再生層が誤った層となったときにそのことを迅速に認識すること、誤った層の記録トラックに記録が行われることを防止すること、当該媒体の成型に使われるスタンパの製作を困難することがない技術の提供。【解決手段】第１の記録再生層５は、第１の記録再生層基板２の張り合わせ面にグルーブ７を形成し、その表面に反射膜８を形成することで、第１の記録トラック９が形成されてなるものである。また、第２の記録再生層６は、第２の記録再生層基板３の張り合わせ面にランド１０を形成し、その表面に反射膜１１を形成することで、第２の記録トラック１２が形成されてなるものである。【選択図】　図１
2004095126.tif 000002
【特許請求の範囲】
【請求項１】
グルーブに第１の記録トラックを有する第１の記録再生層と、前記第１の記録再生層と積層するように配置され、ランドに第２の記録トラックを有する第２の記録再生層と
を具備することを特徴とする光学的記録再生媒体。
【請求項２】
請求項１に記載の光学的記録再生媒体であって、
前記第１の記録再生層が、記録又は再生を行うための光源側の層であることを特徴とする光学的記録再生媒体。
【請求項３】
請求項１に記載の光学的記録再生媒体であって、
前記第２の記録再生層が、記録又は再生を行うための光源側の層であることを特徴とする光学的記録再生媒体。
【請求項４】
請求項１に記載の光学的記録再生媒体であって、
前記第１及び第２の記録再生層は、それぞれＤＰＰ（Ｄｉｆｆｅｒｅｎｔｉａｌ　Ｐｕｓｈ−Ｐｕｌｌ）方式、あるいはＰｕｓｈ−Ｐｕｌｌ方式によりトラッキングが行われることを特徴とする光学的記録再生媒体。
【請求項５】
第１のスタンパを用いて第１の基板の第１の面に凹凸を形成する工程と、
実質的に同一の前記第１のスタンパを用いて第２の基板の第２の面に凹凸を形成する工程と、
前記第１の及び第２の面に反射膜を形成する工程と、
前記第１の面と前記第２の面とを接着剤を介して張り合わせる工程と
を具備することを特徴とする光学的記録再生媒体の製造方法。
【請求項６】
請求項５に記載の光学的記録再生媒体の製造方法であって、
前記第１のスタンパとは凹凸が反転した第２のスタンパを用いて前記第１のスタンパを形成する工程を更に具備することを特徴とする光学的記録再生媒体の製造方法。
【請求項７】
複数の記録再生層を有する光学的記録再生媒体に対して光学的に記録再生する記録再生装置であって、
前記各記録再生層に対して前記ＤＰＰ（Ｄｉｆｆｅｒｅｎｔｉａｌ　Ｐｕｓｈ−Ｐｕｌｌ）方式によりトラッキングするためのトラッキングエラー信号の検出系と、
前記検出系で検出されたトラッキングエラー信号の極性を反転させる極性反転回路と、
前記検出系で検出されたトラッキングエラー信号及び前記極性反転回路により極性が反転されたトラッキングエラー信号のうち一方を選択的に出力させるための極性切換スイッチと、
前記記録再生する記録再生層に応じて前記極性切換スイッチの切換を制御する手段と
を具備することを特徴とする記録再生装置。
【請求項８】
複数の記録再生層を有する光学的記録再生媒体に対して光学的に記録再生する記録再生装置であって、
前記各記録再生層に対してＰｕｓｈ−Ｐｕｌｌ方式によりトラッキングするためのトラッキングエラー信号の検出系と、
前記検出系で検出されたトラッキングエラー信号の極性を反転させる極性反転回路と、
前記検出系で検出されたトラッキングエラー信号及び前記極性反転回路により極性が反転されたトラッキングエラー信号のうち一方を選択的に出力させるための極性切換スイッチと、
前記記録再生する記録再生層に応じて前記極性切換スイッチの切換を制御する手段と
を具備することを特徴とする記録再生装置。
【発明の詳細な説明】
【０００１】
【発明の属する技術分野】
本発明は、複数の記録再生層を有する光学的記録再生媒体、そのような光学的記録再生媒体の製造方法及びそのような媒体に対して記録再生する記録再生装置に関する。
【０００２】
【従来の技術】
ＤＶＤ−ＲＷ等の光学的記録再生媒体では、記憶容量を増大するために複数の記録再生層が積層されている。それぞれの記録再生層には、例えば各層の表面に形成されたグルーブに記録トラックが設けられている。なお、それぞれの記録再生層の表面に形成されたランドに記録トラックが設けられている場合もある。
【０００３】
そして、このような光学的記録再生媒体において、記録再生を行う際には、まず所望の層及び位置の記録トラックの表面にフォーカス及びトラッキングをかけてそこから得られるウォブル信号に基づきアドレス（所望の層及び位置）を確認し、その後、ウォブル信号から得られるアドレスを確認しながら記録や再生を進行させる。
【０００４】
ところで、例えば第１の記録再生層の記録や再生を行っていて、そこから第２の記録再生層に移るためにフォーカス位置を切り替えたときに、何らかのアクシデントによりフォーカスが第１の記録再生層の記録トラックにかかってしまうことがある。
【０００５】
また、このような記録や再生を行っている最中に振動等により記録や再生を行っている層がずれることがある。例えば、第１の記録再生層の記録トラックに記録や再生を行っている最中にその直下における第２の記録再生層の記録トラックにずれる、ということがある。
【０００６】
このような場合には、通常、ウォブル信号から得られるアドレスにより異なるアドレス（異なる層）になってしまったことを認識し、この認識に基づき正しいアドレス（正しい層）に復帰する処理が行われる。
【０００７】
【発明が解決しようとする課題】
しかしながら、ウォブル信号から得られるアドレスを認識するまでには、かなりの距離の記録トラックを走行した後でなければならないため、その認識には相当の時間を要し、正しいアドレス（正しい層）への復帰に時間がかかる、という課題がある。この場合に、特に記録を行っているときに問題となる。すなわち、上記の例でいうと、ウォブル信号から得られるアドレスを認識するまで、誤った層の記録トラックに記録されてしまうため、例えば上書きによりそれまでに記録されていたデータが消失する、という問題が発生する。
【０００８】
また、上記のような従来の光学的記録再生媒体では、その製造に使われるスタンパの制作が難しい、という問題もある。
【０００９】
図６は第１層目の記録再生層の成型に使われるスタンパの作製方法を説明するための図である。
【００１０】
図６（ａ）に示すように、ガラス原板１００の表面に形成されたレジスト１０１の上に、カッティング用レーザ１０２をウォブルさせながら照射し、レジスト１０１を感光させる。これにより、図６（ｂ）に示すように、ウォブルグルーブ１０３がレジスト１０１に形成される。
【００１１】
ウォブルグルーブ１０３が形成されたレジスト１０１の上に金属のメッキを施すと、図６（ｃ）に示すように、レジスト１０１の上に当該金属によるスタンパ１０４が形成される。そして、ガラス原板１００及びレジスト１０１を取り除くことにより、図６（ｄ）に示すように、スタンパ１０４が完成する。
【００１２】
スタンパ１０４のグルーブに対応する部位は凸１０５となっており、図６（ｅ）に示すように、このスタンパ１０４を使用して第１層目の記録再生層基板１０６を成形することにより、第１層目の記録再生層基板１０６にグルーブ１０７が形成される。
【００１３】
一方、この制作方法を用いて第２層目の記録再生層基板にウォブルしたグルーブを形成するのは難しい。即ち、スタンパを製作する段階で第１層目のそれと凹凸を逆にするために、通常用いられるポジ型のレジストではなく、扱いが難しいネガ型のレジストを使う必要があるからである。
【００１４】
本発明は、このような課題に対処してなされたもので、記録再生層が誤った層となったときにそのことを迅速に認識することができる光学的記録再生媒体及び記録再生装置を提供することを目的としている。
【００１５】
本発明の別の目的は、誤った層の記録トラックに記録が行われることを防止することができる光学的記録再生媒体及び記録再生装置を提供することにある。
【００１６】
本発明のまた別の目的は、当該媒体の成型に使われるスタンパの製作を困難することがない光学的記録再生媒体及びその製造方法を提供することにある。
【００１７】
【課題を解決するための手段】
上記目的を達成するため、本発明の主たる観点に係る光学的記録再生媒体は、グルーブに第１の記録トラックを有する第１の記録再生層と、前記第１の記録再生層と積層するように配置され、ランドに第２の記録トラックを有する第２の記録再生層とを具備することを特徴とする。
【００１８】
本発明では、従来のようにウォブル信号から得られるアドレスを認識することにより誤った層になったことを検知するのではなく、ウォブル信号が得られなくなることで誤った層になったことを検知しているので、記録再生層が誤った層となったときにそのことを迅速に認識することができる。また、このように誤った層になったことの認識を迅速に行うことができるので、誤った層の記録トラックに記録が行われることを防止することができる。
【００１９】
前記第１の記録再生層が、記録又は再生を行うための光源側の層であることが好ましい形態である。これにより、当該媒体の製造に使われるスタンパとして、凹凸が反転したものを製作することが不要となり、当該媒体の成型に使われるスタンパの製作を困難することがなくなる。
【００２０】
その一方で、前記第２の記録再生層が、記録又は再生を行うための光源側の層であることも好ましい形態である。これにより、スタンパの大量生産が可能となり、光学的記録再生媒体の飛躍的な大量生産が可能となる。
【００２１】
前記第１及び第２の記録再生層については、ＤＰＰ（Ｄｉｆｆｅｒｅｎｔｉａｌ　Ｐｕｓｈ−Ｐｕｌｌ）方式によりトラッキングを行うことが好ましい。
【００２２】
ＤＰＰ（Ｄｉｆｆｅｒｅｎｔｉａｌ　Ｐｕｓｈ−Ｐｕｌｌ）方式によりトラッキングを行う場合、グルーブ記録された第１の記録再生層からのトラッキングエラー信号の極性とランド記録された第２の記録再生層からのトラッキングエラー信号の極性とを反転させる必要がある。つまり、誤った層にトラッキングをかけると、極性が異なることから当然ウォブル信号が得られない。従って、誤った層になったことの認識を迅速かつ確実に行うことができる。
【００２３】
本発明の別の観点に係る光学的記録再生媒体の製造方法は、第１のスタンパを用いて第１の基板の第１の面に凹凸を形成する工程と、実質的に同一の前記第１のスタンパを用いて第２の基板の第２の面に凹凸を形成する工程と、前記第１の及び第２の面に反射膜を形成する工程と、前記第１の面と前記第２の面とを接着剤を介して張り合わせる工程とを具備する。
【００２４】
ここで、「実質的に同一」とは、同一の第１のスタンパ又はほぼ同一の第１のスタンパをいう。
【００２５】
本発明では、該媒体の製造に使われるスタンパとして、凹凸が反転したものを製作することが不要となり、当該媒体の成型に使われるスタンパの製作を困難することがなくなる。
【００２６】
前記第１のスタンパとは凹凸が反転した第２のスタンパを用いて前記第１のスタンパを形成する工程を更に具備するようにしてもよい。
【００２７】
例えばメタルマスクスタンパ（第２のスタンパ）からマザースタンパ（第１のスタンパ）を形成することで、第１のスタンパの大量生産が可能となる。従って、光学的記録再生媒体の飛躍的な大量生産が可能となる。
【００２８】
本発明の更に別の観点に係る記録再生装置は、複数の記録再生層を有する光学的記録再生媒体に対して光学的に記録再生する記録再生装置であって、前記各記録再生層に対して前記ＤＰＰ（Ｄｉｆｆｅｒｅｎｔｉａｌ　Ｐｕｓｈ−Ｐｕｌｌ）方式によりトラッキングするためのトラッキングエラー信号の検出系と、前記検出系で検出されたトラッキングエラー信号の極性を反転させる極性反転回路と、前記検出系で検出されたトラッキングエラー信号及び前記極性反転回路により極性が反転されたトラッキングエラー信号のうち一方を選択的に出力させるための極性切換スイッチと、前記記録再生する記録再生層に応じて前記極性切換スイッチの切換を制御する手段とを具備する。
【００２９】
本発明では、誤った層にトラッキングをかけると、極性が異なることから当然ウォブル信号が得られない。従って、誤った層になったことの認識を迅速かつ確実に行うことができる。
【００３０】
【発明の実施の形態】
以下、本発明の実施の形態を図面に基づき詳細に説明する。
（光学的記録再生媒体）
図１は本発明の一実施形態に係る光学的記録再生媒体の構成を示す断面図である。
【００３１】
図１に示すように、この光学的記録再生媒体１は、平面的には円盤状であり、断面的には第１の記録再生層基板２と第２の記録再生層基板３とを接着層４を介して張り合わせた構造を有する。第１の記録再生層基板２の張り合わせ面には第１の記録再生層５が形成され、第２の記録再生層基板３の張り合わせ面には第２の記録再生層６が形成されている。
【００３２】
なお、この実施形態では、光学的記録再生媒体１の下方（第１の記録再生層基板２の表面側）から記録又は再生を行うための光源であるレーザ１３が照射されるものとする。
【００３３】
第１の記録再生層５は、第１の記録再生層基板２の張り合わせ面にグルーブ７を形成し、その表面に反射膜８を形成することで、第１の記録トラック９が形成されてなるものである。また、第２の記録再生層６は、第２の記録再生層基板３の張り合わせ面にランド１０を形成し、その表面に反射膜１１を形成することで、第２の記録トラック１２が形成されてなるものである。
【００３４】
ここで、例えば第１及び第２の記録再生層基板２、３は、ポリカーボネートからなり、厚さは０．６ｍｍ程度である。グルーブ７の深さ及びランド１０の高さはそれぞれ６０ｎｍ程度である。反射膜８、１１は例えば相変化材料からなる。接着層４は例えばＵＶレジンからなる。ただし、これらの材質やサイズは本発明の本質とは無関係である。
【００３５】
このように構成された光学的記録再生媒体１では、記録や再生の最中に記録再生層が誤った層となったことを迅速に認識することができる。
【００３６】
例えば、第１の記録再生層５の第１の記録トラック９（グルーブ記録）上で記録や再生を行っていて、そこから第２の記録再生層６の第２の記録トラック１２（ランド記録）上に移るためにフォーカス位置を切り替え、かつ、トラッキングエラー信号の極性（後に詳述する。）を切り替えたときに、何らかのアクシデントにより再びフォーカスが第１の記録再生層５の第１の記録トラック９にかかってしまった場合に、トラッキングエラー信号の極性は第２の記録再生層６の第２の記録トラック１２のランドに対する極性に切り替えられるため、つまり第１の記録再生層５の第１の記録トラック９のランドにトラッキングがかかるため、ウォブル信号は正常に再生されず、異常が起きていることが検出される。そして、このような異常が検出されると、正しいアドレス（正しい層）に復帰する処理が行われる。
【００３７】
即ち、従来は、ウォブル信号から得られるアドレスにより異なるアドレス（異なる層）になってしまったことを認識していたため、そのような認識に至るまでに相当の時間を要していたが、本実施形態に係る媒体１によれば、ウォブル信号が正常に再生されるか否かによって異なる層になってしまったことを認識しているので、迅速にそのような認識を行うことができる。これにより、誤った層の記録トラックに記録が行われることを防止することができる。また、万一記録してしまってもそこは本来の記録エリアではなくランドなので影響は軽微である。
【００３８】
また、記録や再生を行っている最中に振動等により記録や再生を行っている層（フォーカスしている層）がずれることがあるが、この場合も上記と同様に迅速にそのような認識を行うことができる。
（光学的記録再生媒体の他の例）
図２は本発明に係る光学的記録再生媒体の他の例を断面図である。
【００３９】
図２に示すように、この光学的記録再生媒体２１は、第１の記録再生層と第２の記録再生層におけるグルーブとランドとの関係を図１に示して実施形態に係る光学的記録再生媒体１とは逆の関係にした点が異なるものである。
【００４０】
即ち、この光学的記録再生媒体２１は、平面的には円盤状であり、断面的には第１の記録再生層基板２２と第２の記録再生層基板２３とを接着層２４を介して張り合わせた構造を有する。第１の記録再生層基板２２の張り合わせ面には第１の記録再生層２５が形成され、第２の記録再生層基板２３の張り合わせ面には第２の記録再生層２６が形成されている。
【００４１】
なお、この実施形態においても、光学的記録再生媒体２１の下方（第１の記録再生層基板２２の表面側）から記録又は再生を行うための光源であるレーザ３３が照射されるものとする。
【００４２】
第１の記録再生層２５は、第１の記録再生層基板２２の張り合わせ面にランド２７を形成し、その表面に反射膜２８を形成することで、第１の記録トラック２９が形成されてなるものである。また、第２の記録再生層２６は、第２の記録再生層基板２３の張り合わせ面にグルーブ３０を形成し、その表面に反射膜３１を形成することで、第２の記録トラック３２が形成されてなるものである。
【００４３】
本実施形態においても図１に示した実施形態に係る光学的記録再生装置１と同様の効果を奏するが、更に後述するようにスタンパの大量生産を可能とし、これにより光学的記録再生媒体の飛躍的な大量生産を可能とするものである。
（光学的記録再生媒体の製造方法）
次に、本実施形態に係る光学的記録再生媒体の製造方法について説明する。
【００４４】
図３はこの本実施形態に係る光学的記録再生媒体の製造方法を説明するための図である。
【００４５】
まず、図３（ａ）に示すように、一対の固定型４１とスタンパ４２とからなる空間４３に基板の材料であるポリカーボネート４４を注入する。これにより、記録面に凹凸が形成された第１の記録再生層基板２を成型する。
【００４６】
同様に、図３（ｂ）に示すように、一対の固定型４１と上記スタンパと実質的に同一のスタンパ４２とからなる空間４３に基板の材料であるポリカーボネートを注入する。これにより、記録面に凹凸が形成された第２の記録再生層基板３を成型する。
【００４７】
なお、スタンパ４２については例えば図６に示した工程を経て作製される。
【００４８】
次に、図３（ｃ）、（ｄ）に示すように、第１及び第２の記録再生層基板２、３の凹凸が形成された記録面に例えばスパッターにより相変化材料による反射膜８、１１を形成する。
【００４９】
そして、図３（ｅ）に示すように、第１の基板の記録面と第２の基板の記録面とを例えばＵＶレジンからなる接着剤４４を介して張り合わせる。
【００５０】
以上の方法により、図１に示した光学的記録再生媒体１が製造される。
【００５１】
本実施形態では、このように第１の記録再生層基板２と第２の記録再生層基板３とを同一の又は実質的に同一のスタンパ４２に成型することが可能であるので、当該媒体の成型に使われるスタンパの製作を困難することがない。そもそもかかる効果は、第１の記録再生層５をグループ記録とし、第２の記録再生層６をランド記録としたことに起因するもので、従って媒体そのものに起因する効果ということでもある。
（光学的記録再生媒体の他の製造方法）
図２に示した光学的記録再生媒体２１の製造は図３に示したものと同様であるが、スタンパ（マザースタンパ）については例えばメタルマザースタンパ（凹凸がマザースタンパと反転している。）を原型として作製される。この場合、例えば特開平１０−１０６０４８号公報に開示された技術を用いることにより不具合のないスタンパを作製することが可能である。
【００５２】
本実施形態では、スタンパ（マザースタンパ）の大量生産を可能とし、これにより光学的記録再生媒体の飛躍的な大量生産を可能とするものである。かかる効果ついても、第１の記録再生層２５をランド記録とし、第２の記録再生層２６をグルーブ記録としたことに起因するもので、従って媒体そのものに起因する効果ということでもある。
（記録再生装置）
次に、本発明の一実施形態に係る記録再生装置について説明する。
【００５３】
図４は本発明の一実施形態に係る記録再生装置の構成を示すブロック図である。
【００５４】
図４に示すように、この記録再生装置５０は、光学的記録再生媒体１を回転駆動するスピンドルモータ５１と、光学ヘッド５２を駆動するアクチュエータ５３とを有する。アクチュエータ５３は、図示を省略したフォーカスコイル、トラッキングコイル及びスレッドモータを有する。光学ヘッド５２は、レーザダイオード５３、レーザダイオード５３をドライブするＬＤドライバ５４、レーザダイオード５３のレーザパワーをモニタするフロントモニタ５５、ＲＦ（高周波）を検出するフォトディテクタ５６、及びマトリクスアンプ５７を含んでいる。
【００５５】
ＲＦ部５８は、レーザパワーをコントロールするＦＡＰＣ５９、記録データを高密度記録できるように波形変換するパルストレイン回路６０、再生ＲＦ信号をイコライジングするイコライザ６１、及びそのデータからクロックを抽出する位相同期回路６２を有する。
【００５６】
サーボ部６３は、ドライバ７７を介してアクチュエータ５３におけるフォーカスコイル、トラッキングコイル及びスレッドモータ、更にはスピンドルドライバ７８を介してスピンドルモータ５１やＲＦ部５８をコントロールするサーボディジタルシグナルプロセッサ６４、及びディジタル／アナログ（Ｄ／Ａ）変換器６５、アナログ／ディジタル（Ａ／Ｄ）変換器６６を有する。
【００５７】
シグナルプロセッサ６７は、再生データや記録データをデコードするデコーダ６８、再生データや記録データをエンコードするエンコーダ６９、これらのデータを時間的に連続に入力して離散的に出力するために必要なバッファ７０及びバッファコントローラ７１、ＳＣＳＩ接続を行うためのパラレル／シリアル変換器７２を有する。
【００５８】
そして、サーボディジタルシグナルプロセッサ６４及びバッファコントローラ７１は、システムコントロール部（ＳＹＳＣＯＮ　ＣＰＵ）７３によりコントロールされるようになっている。
【００５９】
図５は上記のフォトディテクタ５６及びマトリクスアンプ５７のうちトラッキングエラーに関する構成を示した図である。
【００６０】
本実施形態に係る記録再生装置５０では、ＤＰＰ（ＤｉｆｆｅｒｅｎｔｉａｌＰｕｓｈ−Ｐｕｌｌ）方式によりトラッキングが行われるようになっている。従って、図５に示すように、この記録再生装置５０では、２ビームでトラッキングを行うと共に、そのうちメインビームを検出するための４分割フォトディテクタ８１、サイドビームを検出するための一対の２分割フォトディテクタ８２、８３を備える。
【００６１】
加算器８４、８５及び減算器８６は、４分割フォトディテクタ８１の各出力Ａ、Ｂ、Ｃ、ＤからＡ＋Ｄ−（Ｂ＋Ｃ）を得るものである。減算器８７、８８及び加算器８９は、２分割フォトディテクタ８２、８３の各出力Ｅ、Ｆ、Ｇ、ＨからＥ−Ｆ＋Ｇ−Ｈを得るものである。減算器９０は、上記の出力Ａ＋Ｄ−（Ｂ＋Ｃ）及びＥ−Ｆ＋Ｇ−ＨからＡ＋Ｄ−（Ｂ＋Ｃ）−（Ｅ−Ｆ＋Ｇ−Ｈ）を得るものである。この得られたＡ＋Ｄ−（Ｂ＋Ｃ）−（Ｅ−Ｆ＋Ｇ−Ｈ）がトラッキングエラー信号である。
【００６２】
本実施形態に係る記録再生装置５０は、特に、トラッキングエラー信号Ａ＋Ｄ−（Ｂ＋Ｃ）−（Ｅ−Ｆ＋Ｇ−Ｈ）の極性を反転させる極性反転回路９１及びトラッキングエラー信号Ａ＋Ｄ−（Ｂ＋Ｃ）−（Ｅ−Ｆ＋Ｇ−Ｈ）をそのまま出力するか、この信号から極性反転回路９１を介して極性を反転させた信号を出力するかを選択する極性切換スイッチ９２を備える。極性切換スイッチ９２は、サーボディジタルシグナルプロセッサ６４により切換えが制御され、極性切換スイッチ９２の出力はトラッキングエラー信号としてアナログ／ディジタル（Ａ／Ｄ）変換器６６を介してサーボディジタルシグナルプロセッサ６４に入力されるようになっている。
【００６３】
このように構成された記録再生装置５０では、光学的記録再生媒体１における第１の記録再生層５に記録しているときには例えば極性反転回路９１により極性が反転していないトラッキングエラー信号によりトラッキングサーボをかけており、その状態から第２の記録再生層６に記録するときには、極性切換スイッチ９２が切換られ、極性反転回路９１によって極性が反転されたトラッキングエラー信号によりトラッキングサーボがかけられるようになる。
【００６４】
従って、既述したように、例えば第１の記録再生層５の第１の記録トラック９（グルーブ記録）上で記録や再生を行っていて、そこから第２の記録再生層６の第２の記録トラック１２（ランド記録）上に移るためにフォーカス位置を切り替え、かつ、トラッキングエラー信号の極性を切り替えたときに、何らかのアクシデントにより再びフォーカスが第１の記録再生層５の第１の記録トラック９にかかってしまった場合に、トラッキングエラー信号の極性は第２の記録再生層６の第２の記録トラック１２のランドに対する極性に切り替えられるため、つまり第１の記録再生層５の第１の記録トラック９のランドにトラッキングがかかるため、ウォブル信号は正常に再生されず、異常が起きていることが検出される。そして、このような異常が検出されると、正しいアドレス（正しい層）に復帰する処理が行われる。
【００６５】
なお、本発明は上述した実施形態には限定されず、その技術思想の範囲内で様々な変形が可能あり、それらも本発明の範囲である。
【００６６】
例えば、上記の実施形態では、記録再生層が２層の場合について説明したが、３層以上の記録再生層を有する場合であっても少なくとも２層が本発明に係る関係にあれば勿論それは本発明の範囲にある。
【００６７】
また、上記の実施形態では、トラッキング検出方式としてＤＰＰ（Ｄｉｆｆｅｒｅｎｔｉａｌ　Ｐｕｓｈ−Ｐｕｌｌ）方式を前提とするものであったが、Ｐｕｓｈ−Ｐｕｌｌ方式やＤＰＤ（Ｄｉｆｆｅｒｅｎｔｉａｌ　Ｐｈａｓｅ　Ｄｉｔｅｃｔｉｏｎ）方式であっても本発明に係る光学的記録再生媒体を用いることができ、そのような方式に用いられる光学的記録再生媒体も本発明の範囲である。
【００６８】
【発明の効果】
以上説明したように、本発明によれば、記録再生層が誤った層となったときにそのことを迅速に認識することができる。また、誤った層の記録トラックに記録が行われることを防止することができる。更に、光学的記録再生媒体の成型に使われるスタンパの製作を困難することがない。
【図面の簡単な説明】
【図１】本発明の一実施形態に係る光学的記録再生媒体の構成を示す断面図である。
【図２】本発明に係る光学的記録再生媒体の他の例を断面図である。
【図３】本発明に係る光学的記録再生媒体の製造方法を説明するための図である。
【図４】本発明の一実施形態に係る記録再生装置の構成を示すブロック図である。
【図５】図４に示した記録再生装置におけるフォトディテクタ及びマトリクスアンプのうちトラッキングエラーに関する構成を示した図である。
【図６】記録再生層の成型に使われるスタンパの作製方法を説明するための図である。
【符号の説明】
１　　光学的記録再生媒体
２　　第１の記録再生層基板
３　　第２の記録再生層基板
４　　接着層
５　　第１の記録再生層
６　　第２の記録再生層
７　　グルーブ
８、１１　　反射膜
９　　第１の記録トラック
１０　　ランド
１２　　第２の記録トラック
１３　　レーザ
５０　　記録再生装置
５６　　フォトディテクタ
５７　　マトリクスアンプ
８１　　４分割フォトディテクタ
８２、８３　　２分割フォトディテクタ
８４、８５、８９　　加算器
８６、８７、８８　　減算器
９１　　極性反転回路
９２　　極性切換スイッチ
【図１】
2004095126.tif 000003
【図２】
2004095126.tif 000004
【図３】
2004095126.tif 000005
【図４】
2004095126.tif 000006
【図５】
2004095126.tif 000007
【図６】
2004095126.tif 000008